(57)【要約】【課題】  自然蒸発器具でインテリア製品を兼ねた構造がある。セラミック材を主原料とした高含水率の調湿部を、水を満たした加水器に浸す構造であって、調湿部より蒸発を図り、室内湿度の調整を図る構造である。しかし、調湿部の吸水性を利用し、吸上げる構造であり、インテリア製品の範疇と考えられる。この種の加湿機器としては、改良の余地がある。【解決手段】  本発明は、珪藻土で構成した台座兼蒸発器と、台座兼蒸発器には、ボトルの口を差込むマウスピースと、マウスピースに繋がり、かつマウスピースと、直交する方向に開口する空胴部と、を設けるとともに、台座兼蒸発器を接地面より浮かせる脚を設ける構成としたである。自然蒸散であり（動力手段がなく）、簡便、低コストが図れる。【選択図】      図５
2015014396.tif 000002
【特許請求の範囲】
【請求項１】
珪藻土で構成した台座兼蒸発器と、この台座兼蒸発器には、ボトルの口を差込むマウスピース、又は開口孔と、このマウスピース、又は開口孔に繋がり、かつこのマウスピース、又は開口孔と、直交する方向に開口する空胴部と、を設けるとともに、この台座兼蒸発器を接地面より浮かせる脚を設ける構成とした自然蒸発器具。
【請求項２】
前記台座兼蒸発器は、珪藻土を、略８００度程度で高温焼成する構成とした請求項１に記載の自然蒸発器具。
【請求項３】
前記台座兼蒸発器に設けた空胴部は、３０φ〜５０φとして、望ましくは、４０φとし、当該台座兼蒸発器の外面と内面とを、１．８ｃｍ〜２．８ｃｍとし、望ましくは、２ｃｍとした壁片で囲繞する構成とし、この壁片は、水分補給スペースであり、かつ水分と、気孔に浸入した空気との接触を可能とする構成とした請求項１に記載の自然蒸発器具。
【請求項４】
前記台座兼蒸発器に設けたマウスピースは、樹脂製とする構成とした請求項１に記載の自然蒸発器具。
【請求項５】
前記台座兼蒸発器に設けた脚を利用し、その底面が、空気と接触し、この底面からの蒸発を図る構成とした請求項１に記載の自然蒸発器具。
【発明の詳細な説明】
【技術分野】
【０００１】
本発明は、自然蒸発器具であって、市販のボイル（ペットボトル）を利用した、簡易かつ利便性を確保する自然蒸発器具に関する。
【背景技術】
【０００２】
従来、電気的・機械的な動力源を不要とした、簡易型で、誰でも操作できる自然蒸発器具（機器）としては、次のような構造が挙げられる。
【０００３】
例えば、特開２００４−２７１１５６号公報（文献１．）のインテリア製品であり、セラミック材を主原料とした高含水率の調湿部を、水を満たした加水器に浸した構造であって、この調湿部より蒸発を図り、室内湿度の調整を図る構造である。しかし、この発明は、調湿部の吸水性を利用し、吸上げる構造であり、インテリア製品の範疇と考えられる。
【０００４】
文献１．と同じ考えとして、実用新案登録第３１６００７９号公報（文献２．）と、特開２００７−５１８５６号公報（文献３．）、並びに特開２０１３−１０８６５３号公報（文献４．）が挙げられる。
【０００５】
前述した文献１．〜文献４．は、無動力で、簡便かつ自然気化式の加湿で有り重宝すること、並びに吸水・蒸発機能を備えた素材を利用することは有益である。しかしながら、単に、珪藻土等の素材の吸水・蒸発機能を利用した、自然原理の利用に留まる。
【０００６】
上記に鑑み、本発明は、珪藻土の吸水・蒸発機能をさらに進化するとともに、この珪藻土でなる台座兼蒸発器に空胴部を形成し、蒸発（蒸散）効果を確立すること、等を意図する。また、珪藻土でなる台座兼蒸発器の底部に脚を設け、この台座兼蒸発器を、略空中に浮上する構造として、台座兼蒸発器からの蒸発（蒸散）効果を確立する。さらに、この珪藻土でなる台座兼蒸発器にスラグを混合し、高温焼成することで、気孔を拡充し、台座兼蒸発器からの蒸発（蒸散）効果と、崩壊防止を確立する。
【０００７】
【特許文献１】特開２００４−２７１１５６号公報
【特許文献２】実用新案登録第３１６００７９号公報
【特許文献３】特開２００７−５１８５６号公報、
【特許文献４】特開２０１３−１０８６５３号公報
【発明の概要】
【発明が解決しようとする課題】
【０００８】
文献１．〜文献４．に関しては、問題があることに鑑み、本発明は、前述した意図を達成するための提案をする。
【課題を解決するための手段】
【０００９】
前述した本発明の意図を達成するために、請求項１〜請求項５を提供する。
【発明の効果】
【００１０】
請求項１の発明は、珪藻土で構成した台座兼蒸発器と、台座兼蒸発器には、ボトルの口を差込むマウスピース、又は開口孔と、マウスピース、又は開口孔に繋がり、かつマウスピース、又は開口孔と、直交する方向に開口する空胴部と、を設けるとともに、台座兼蒸発器を接地面より浮かせる脚を設ける構成とした自然蒸発器具である。
【００１１】
従って、請求項１においては、次の効果が可能となる。
【００１２】
「イ」  台座兼蒸発器の珪藻土焼成物に傷を付けることなく、ボトルを抜差しできる。
【００１３】
「ロ」  台座兼蒸発器の珪藻土焼成物であり、水を浄化するとともに、カビ、微生物の発生を回避できる。
【００１４】
「ハ」  珪藻土の吸水・蒸発機能をさらに進化するとともに、この珪藻土でなる台座兼蒸発器に空胴部を形成し、蒸発（蒸散）効果を確立できる。
【００１５】
「ニ」  珪藻土でなる台座兼蒸発器の底部に脚を設け、この台座兼蒸発器を、略空中に浮上する構造として、台座兼蒸発器からの蒸発（蒸散）効果を確立できる。
【００１６】
請求項２の発明では、台座兼蒸発器は、珪藻土を、略８００度程度で高温焼成する構成とした請求項１に記載の自然蒸発器具である。
【００１７】
従って、請求項２においては、前記「イ」〜「ニ」の効果の他に、次の効果が可能となる。
【００１８】
「ホ」  略８００度で高温焼成することで、気孔を拡充し、台座兼蒸発器からの蒸発（蒸散）効果と、崩壊防止を確立できる。尚、略８００度以上になると極端に多孔質の特性が壊れる問題がある。また、略８００度以下の場合、生珪藻土に近い状態に成り、水にふやけること、又は溶け出すこと、等の弊害回避を図る。
【００１９】
請求項３の発明では、台座兼蒸発器に設けた空胴部は、３０φ〜５０φとして、望ましくは、４０φとし、台座兼蒸発器の外面と内面とを、１．８ｃｍ〜２．８ｃｍとし、望ましくは、２ｃｍとした壁片で囲繞する構成とし、壁片は、水分補給スペースであり、かつ水分と、気孔に浸入した空気との接触を可能とする構成とした請求項１に記載の自然蒸発器具である。
【００２０】
従って、請求項３においては、請求項１に記載の前記「イ」〜「ニ」の効果を達成できることと、この効果を達成できる寸法の台座兼蒸発器を提供できる。
【００２１】
請求項４の発明では、台座兼蒸発器に設けたマウスピースは、樹脂製とする構成とした自然蒸発器具である。
【００２２】
従って、請求項４においては、請求項１に記載の前記「イ」〜「ニ」の効果を達成できることと、この効果を達成できる台座兼蒸発器の素材を提供できる。
【００２３】
請求項５の発明では、台座兼蒸発器に設けた脚を利用し、底面が、空気と接触し、底面からの蒸発を図る構成とした自然蒸発器具である。
【００２４】
従って、請求項５においては、請求項１に記載の前記「イ」〜「ニ」の効果を達成できることと、この効果を達成できる台座兼蒸発器の底部の構造を提供できる。
【図面の簡単な説明】
【００２５】
【図１】台座兼蒸発器の正面を示した図
【図２】台座兼蒸発器の平面を示した図
【図３】台座兼蒸発器の底部を示した図
【図４】台座兼蒸発器のマウスピース（口）のペットボトル（容器）を差込んだ要部断面とする図
【図５】図４の使用状態の一例を示した俯瞰図
【発明を実施するための形態】
【００２６】
１は方形状で、各辺に面取り部１００を備えた台座兼蒸発器であり、この台座兼蒸発器１は、例えば、珪藻土、及び／又は、必要により他の素材、例えば、スラグを混合し、略８００度による高温焼成して構成し、珪藻土が本質的に備える細孔（図示するが記号なし）、及び／又は、気孔（図示するが記号なし）に、さらに焼成時に、スラグによる細孔、及び／又は、気孔を生成した構成とする。これにより、例えば、気孔は、水分を溜め込み、細孔は空気の流れを確保するように構成する。
【００２７】
台座兼蒸発器１は、この一例では、上面１ａの有底開口孔１０１に、ボトルＡ（容器）の口Ａ１を差込む空気孔２００付き樹脂製のマウスピース２を設ける。但し、マウスピース２は、開口孔１０１の底部に到らず、底部近傍は、開口孔１０１の珪藻土面部１０１ａが確保されている。即ち、ボトルＡからの水が、面部１０１ａの広く、かつ吸水性を備えた広い面積を介して、台座兼蒸発器１の気孔、及び／又は、細孔に、スムースに浸透する構成を確保する。尚、空気孔２００は、開口孔１０１に繋がる。また、開口孔１０１は、窪み曲面（接触面積の拡大）として、台座兼蒸発器１の全体に、水が行き渡る構造を採用する。このマウスピース２を設けることで、開口部１０１の損傷防止と、耐久性向上等に有効である。また、マウスピース２を設けず、開口孔１０１に、直接、ボトルＡの口Ａ１を差込むことも、場合により、有り得る。従って、
また、台座兼蒸発器１のマウスピース２、及び開口孔１０１の一部か、又は台座兼蒸発器１の開口孔１０１のみの直下（鉛直）には、このマウスピース２（実施例では、マウスピース２）、又は開口孔１０１（図示しない）の鉛直方向と直交方向に設けた空胴部３が構成されており、空胴部３の周壁３００の最大壁面３００ｂ〜３００ｄ（左右壁面３００ｃ、３００ｄ、並びに底壁面３００ｂ）と、台座兼蒸発器１の各外面（左右面１ｃ、１ｄ、並びに底面１ｂ）は、同寸法とする。これにより、少なくとも、台座兼蒸発器１の各部位に対する水の浸透、及び／又は、空気の吸込みが可能となり、均等な働きが確保される。また、空胴部３の周壁３００の上壁面３００ａの上には、開口孔１０１の底部が位置する。上壁面３００ａに、水が過剰に浸透しない構造を採用する。
【００２８】
この台座兼蒸発器１に設けた空胴部３は、３０φ〜５０φとして、望ましくは、４０φとし、当該台座兼蒸発器１の外面（左右面１ｃ、１ｄ、並びに底面１ｂ）と内面（左右壁面３００ｃ、３００ｄ、並びに底壁面３００ｂ）とを、１．８ｃｍ〜２．８ｃｍとし、望ましくは、２ｃｍとした壁片１０２で囲繞する構成とし、この壁片１０２は、水分補給スペースであり、かつ水分と、気孔に浸入した空気との接触を可能とする構成を採用する。
【００２９】
５は脚であり、脚５を利用し、その底面１ｂに空間６を形成することで、空気と接触し、この底面１ｂからの蒸発を図る構成である。
【００３０】
以下、図５を参照として、使用の一例を説明する。ボトルＡに水を入れ（香料、薬等を含む）、マウスピース２に差込むと、水は開口孔１０１に流れて、この窪み曲面から、台座兼蒸発器１の気孔、及び／又は、細孔を流れ（毛細管作用）全体の壁片１０２に、ミストとして行き渡り、かつボタ落ちがない。この全体の壁片１０２の、略半分程度に行渡ったミストは、当該台座兼蒸発器１の外面（左右面１ｃ、１ｄ、並びに底面１ｂ）から進入した空気と接触しながら、かつこの外面より空気中に蒸散され、加湿を行う。そして、ペットボトルＡに水がある場合には、この動作が繰り返される。尚、本発明は、自然蒸散であり、空気の乾燥度合いにより変化する。また、本発明は、このペットボトルＡを利用、又は再利用することが有効な手段であるが、他には、このペットボトルＡと同じような容器（ボトル、ビン、缶等）、その他洒落た容器（ボトル、ビン、缶等）でも可能である。望ましくは、軽量な容器が、台座兼蒸発器１の材質上で好ましい。
【００３１】
この台座兼蒸発器１は、図示では、正立方体であるが、限定されず、例えば、球体、立方体、多面体（例えば、サッカーボール形状）、モニュメット、等の各種形状とする。
【００３２】
以上で説明した各実施例は、好ましい一例を示したものであり、同様な効果と特徴を有する他の構造、手段は、本発明の範疇である。
【符号の説明】
【００３３】
１          台座兼蒸発器
１００      面取り部
１０１      開口孔
１０１ａ    面部
１０２      壁片
１ａ        上面
１ｂ        底面
１ｃ        左面
１ｄ        右面
２          マウスピース
２００      空気孔
３          空胴部
３００      周壁
３００ａ    上壁面
３００ｂ    底壁面
３００ｃ    左壁面
３００ｄ    右壁面
５          脚
６          空間
Ａ          ボトル
Ａ１        口
【図４】
2015014396.tif 000003
【図１】
2015014396.tif 000004
【図２】
2015014396.tif 000005
【図３】
2015014396.tif 000006
【図５】
2015014396.tif 000007